(57)【要約】【課題】扉体の着脱作業が容易であるとともに防水性にも富んだ電気機器収納用箱体を提供する。【解決手段】開口の上縁部及び下縁部に沿って、箱本体２の前面よりも前方へ突出する庇部材４、４を取り付け、各庇部材４にヒンジ孔９、９を設ける一方、扉体３にヒンジピン２１を設置し、ヒンジピン２１をヒンジ孔９に挿通させることで、扉体３を庇部材４、４に軸着した。当該構成により、箱本体２内部への水の浸入を防止機能、すなわち防水性の向上を図ることができる上、蝶番等を用いた従来の収納箱と比較して扉体３の着脱を容易に行うことができる。【選択図】図２
2009130208.tif 000002
【特許請求の範囲】
【請求項１】
前面に開口を有する箱本体と、前記開口を開閉する扉体とを備え、前記扉体の一方側縁の上部及び下部を前記箱本体に軸着してなる電気機器収納用箱体であって、
前記開口の少なくとも上縁部に沿って、前記箱本体の前面よりも前方へ突出する庇部材を取り付け、前記庇部材にヒンジ孔を設ける一方、前記扉体にヒンジピンを設置し、
前記ヒンジピンを前記ヒンジ孔に挿通させることで、前記扉体を前記庇部材に軸着したことを特徴とする電気機器収納用箱体。
【請求項２】
箱本体の開口周縁に、いったん前方へ折り曲げた後、更に上下左右外方へ折り返してなる水切り部を形成するとともに、庇部材を、前記水切り部の上方位置に取り付けたことを特徴とする請求項１に記載の電気機器収納用箱体。
【発明の詳細な説明】
【技術分野】
【０００１】
本発明は、たとえば分電盤や配電盤、制御盤等の各種電気機器を収納するための電気機器収納用箱体に関するものである。
【背景技術】
【０００２】
分電盤や配電盤等の各種電気機器を収納するための電気機器収納用箱体としては、特許文献１に開示されているようなものが従来一般的に知られている。
当該周知の電気機器収納用箱体は、前面に開口を有する箱本体と、該前面開口を開閉する扉体とからなり、扉体は、その左右何れか側縁に取り付けられた蝶番等のヒンジ部材を介して、箱本体の前面開口側縁に蝶着されている。
【０００３】
【特許文献１】特開平９−１００６６９号公報
【発明の開示】
【発明が解決しようとする課題】
【０００４】
しかしながら、上記電気機器収納用箱体において、扉体を、閉塞時に箱本体前面の開口縁部をも覆うように外付けすると、扉体の着脱作業は容易となるものの、防水性に乏しいという問題がある。一方、扉体を、閉塞時に箱本体の前面開口内へ収納可能に取り付けると、防水性を若干向上することはできるものの、扉体の着脱作業が煩わしくなるという問題が生じる。
【０００５】
そこで、本発明は、上記問題に鑑みなされたものであって、扉体の着脱作業が容易であるとともに防水性にも富んだ電気機器収納用箱体を提供しようとするものである。
【課題を解決するための手段】
【０００６】
上記目的を達成するために、本発明のうち請求項１に記載の発明は、前面に開口を有する箱本体と、前記開口を開閉する扉体とを備え、前記扉体の一方側縁の上部及び下部を前記箱本体に軸着してなる電気機器収納用箱体であって、前記開口の少なくとも上縁部に沿って、前記箱本体の前面よりも前方へ突出する庇部材を取り付け、前記庇部材にヒンジ孔を設ける一方、前記扉体にヒンジピンを設置し、前記ヒンジピンを前記ヒンジ孔に挿通させることで、前記扉体を前記庇部材に軸着したことを特徴とする。
また、請求項２に記載の発明は、請求項１に記載の発明において、箱本体の開口周縁に、いったん前方へ折り曲げた後、更に上下左右外方へ折り返してなる水切り部を形成するとともに、庇部材を、前記水切り部の上方位置に取り付けたことを特徴とする。
【発明の効果】
【０００７】
本発明によれば、箱本体の開口の少なくとも上縁部に沿って、箱本体の前面よりも前方へ突出する庇部材を取り付けている。したがって、上方からの箱本体内部への水の浸入を防止機能、すなわち防水性の向上を図ることができる。
また、庇部材にヒンジ孔を設ける一方、扉体にヒンジピンを設置し、扉体を庇部材に軸支させる構成としている。したがって、蝶番等を用いた従来の収納箱と比較して扉体の着脱を容易に行うことができるし、ヒンジ孔やヒンジ部材等が損傷した場合、箱本体までもを交換する必要がなく、廃棄物を削減することができ、環境問題に配慮した収納箱とすることができる。
さらに、請求項２に記載の発明によれば、箱本体の開口周縁に、いったん前方へ折り曲げた後、更に上下左右外方へ折り返してなる水切り部を形成するとともに、庇部材を、水切り部の上方位置に取り付けている。したがって、箱本体内部への水の浸入防止機能を一層向上することができる。
【発明を実施するための最良の形態】
【０００８】
以下、本発明の一実施形態となる電気機器収納用箱体（以下、単に収納箱と称す）について、図面をもとに説明する。
【０００９】
図１は、扉体３が開放された状態にある収納箱１を示した斜視説明図である。また、図２（ａ）は、箱本体２を示した斜視説明図であり、図２（ｂ）は、扉体３を示した斜視説明図である。さらに、図３は、分解状態にある箱本体２を示した斜視説明図である。
収納箱１は、前面に開口を有する箱本体２と、箱本体２の前面上縁及び前面下縁に沿って固着され、箱本体２の一部として構成される庇部材４、４と、当該庇部材４、４に取り付けられ、箱本体２の開口を開閉する扉体３とからなる。
【００１０】
箱本体２は、天板、左右両側板、背板、及び底板を有して前面を除く５面（上面、左右両側面、後面、及び下面）が閉塞された函状体に成形されてなり、内部に、分電盤や配電盤等の各種電気機器を収納可能としている。また、箱本体２の前面には、箱本体２内部と連通する開口が開設されているとともに、当該開口の上下左右を囲むように天板、左右両側板、及び底板と連結された開口縁部５が設けられており、開口縁部５の上縁部及び下縁部には、庇部材４、４を固着するためのネジ孔６、６・・が穿設されている。さらに、開口縁部５の開口側の端縁には、いったん前方へ折り曲げられた後に上下左右外方へ折り返されてなる水切り部１２が設けられている。
【００１１】
庇部材４は、側面視がＬ字状となる（図４に示す）ように帯状の板部材を折り曲げ、箱本体２の開口縁部５に当接される当接部４ａと、箱本体２への固着状態において箱本体２前面よりも前方へ突出して開口の上方を覆う折り返し部４ｂとを設けてなるものであって、当接部４ａには、開口縁部５に固着するための固着ネジ７、７を挿通可能な丸孔８、８が穿設されている。また、折り返し部４ｂの左右両部には、後述する扉体３のヒンジピン２１を挿通可能なヒンジ孔９、９が穿設されている。
さらに、庇部材４の左右両端部には、折り返し部４ｂの左右両端面を被覆する樹脂製のカバー部材１０、１０が取り付けられている。該カバー部材１０は、図５に示す如く、側方から折り返し部４ｂ内へ挿入される挿入部１０ａと、当該挿入部１０ａと一体的に成形され、折り返し部４ｂの側端面を被覆するフランジ状のカバー部１０ｂとからなり、挿入部１０ａの庇部材４への取付状態においてヒンジ孔９と対応する位置には、ヒンジピン２１を挿通可能とされた挿通孔１０ｃが設けられている。
【００１２】
扉体３は、板状部材の上下左右縁部を後方へ折り曲げて函状体に成形してなるもので、該折り曲げ加工により形成された上面及び下面には、ヒンジ部材２０のヒンジピン２１を挿通させるための軸孔２２が穿設されている。該軸孔２２は、上面及び下面の左右両部に設けられており、右開き又は左開きの何れにも対応可能とされている（尚、本実施例の収納箱１では、左開きとされている）。
また、扉体３の右側縁内部であって、その上部及び下部には、ヒンジピン２１を備えたヒンジ部材２０が、ヒンジピン２１を軸孔２２から上方又は下方へ突出させた状態で設置されている。当該ヒンジ部材２０は、図６に示す如く、出没動作可能に設けられたヒンジピン２１、該ヒンジピン２１を突出方向へ付勢するバネ部材２３、ヒンジピン２１を没入方向へ動作させるための操作部材２４とからなる。尚、２５は、ヒンジ部材２０を扉体３に固着するためのネジである。
【００１３】
以上のような箱本体２、扉体３、及び庇部材４、４を有する収納箱１は、箱本体２の上下縁部に庇部材４、４をネジ止めより固着するとともに、当該庇部材４、４の左又は右のヒンジ孔９、９にヒンジピン２１、２１を挿通させて扉体３を片開き可能に取り付けることにより、組み立てられる。
【００１４】
上述したような収納箱１によれば、箱本体２の前面に設けられた開口縁部５の上縁部及び下縁部に庇部材４を固着しているため、上方からの箱本体２内部への水の浸入を防止機能、すなわち防水性の向上を図ることができる。
また、庇部材４にヒンジ孔９、９・・を設ける一方、扉体３に出没動作可能なヒンジピン２１を有するヒンジ部材２０、２０を設置し、扉体３を庇部材４に軸支させる構成としている。したがって、蝶番等を用いた従来の収納箱と比較して扉体３の着脱を容易に行うことができるし、ヒンジ孔９やヒンジ部材２０等が損傷した場合、箱本体２までもを交換する必要がなく、廃棄物を削減することができ、環境問題に配慮した収納箱１とすることができる。
【００１５】
さらに、開口縁部５の開口側の端縁をいったん前方へ折り曲げた後に上下左右外方へ折り返すことにより、開口周縁に水切り部１２を形成している。したがって、箱本体２内部への水の浸入防止機能を一層向上することができる。
加えて、扉体３を、板状部材の上下左右縁部を後方へ折り曲げた函状体に成形しているため、扉体３の強度を向上することができ、扉体３の歪みや破損を効果的に防止することができる。
【００１６】
なお、本発明の収納箱に係る構成は、上記実施形態に記載の態様に何ら限定されるものではなく、箱本体、庇部材、及び扉体に係る構成を、本発明の趣旨を逸脱しない範囲で、必要に応じて適宜変更することができる。
【００１７】
たとえば、庇部材を箱本体に固着するにあたり、庇部材と箱本体との間に防水性を有するシール部材を介在させてもよい。当該シール部材を介在させることにより、防水性の更なる向上を図ることができる。
また、扉体を庇部材に軸着するためのヒンジ部材についても適宜変更可能であって、Ｌ字状に折り曲げられた棒状部材とし、当該棒状部材を、軸孔を介して上方又は下方へ突出する突出位置と、扉体内部に収納される没入位置との間を移動可能に設けるとともに、扉体に、棒状部材を突出位置及び没入位置で維持するための切り欠き部を形成するといった構成を採用することも可能である。
【００１８】
さらに、扉体に、扉体を閉塞状態で施解錠するための錠部材を設けてもよいことは言うまでもない。
加えて、上記実施形態では、庇部材を開口の上下両方に取り付けているが、庇部材を開口の上側のみに取り付け、扉体の下部は、箱本体から突設されたヒンジ孔を有する軸支片に軸支させる構成としてもよい。当該構成にあっても、防水性の向上、扉体の着脱作業の簡略化を図ることは可能である。
【図面の簡単な説明】
【００１９】
【図１】扉体が開放された状態にある収納箱を示した斜視説明図である。
【図２】（ａ）は、箱本体を示した斜視説明図であり、（ｂ）は、扉体を示した斜視説明図である。
【図３】分解状態にある箱本体を示した斜視説明図である。
【図４】固着状態にある庇部材を示した部分断面説明図である。
【図５】カバー部材を示した斜視説明図である。
【図６】扉体を取り付けた状態を示した部分断面説明図である。
【符号の説明】
【００２０】
１・・収納箱、２・・箱本体、３・・扉体、４・・庇部材、４ａ・・当接部、４ｂ・・折り返し部、５・・開口縁部、６・・ネジ孔、８・・丸孔、９・・ヒンジ孔、１０・・カバー部材、１０ａ・・挿入部、１０ｂ・・カバー部、１０ｃ・・挿通孔、１２・・水切り部、２０・・ヒンジ部材、２１・・ヒンジピン、２２・・軸孔、２３・・バネ部材、２４・・操作部材。
【図１】
2009130208.tif 000003
【図２】
2009130208.tif 000004
【図３】
2009130208.tif 000005
【図４】
2009130208.tif 000006
【図５】
2009130208.tif 000007
【図６】
2009130208.tif 000008